(57)【要約】【課題】  コリメータが閉止状態にあった場合においても適正な画像を迅速に得ることができ、また、被検者へのＸ線被曝量を低減させることが可能なＸ線透視撮影装置を提供する。【解決手段】  Ｘ線透視撮影装置は、画像表示部３１に表示する画像の輝度を一定とするための自動輝度制御回路１２と、コリメータ部２３におけるコリメータリーフの開き量を検出するコリメータ制御部２５とを備える。制御部１０は、コリメータリーフの開き量が一定以下のときには、自動輝度制御回路１２によるＸ線出力のフィードバック制御を停止する。【選択図】        図３
2011239803.tif 000002
【特許請求の範囲】
【請求項１】
Ｘ線を照射するＸ線管と、被検者を通過したＸ線を検出するＸ線検出器と、前記Ｘ線検出器からの画像信号に基づいて画像を表示する画像表示部とを備えたＸ線透視撮影装置において、
前記画像表示部に表示する画像の輝度を一定とするため、前記Ｘ線検出器からの画像信号に基づいて、前記Ｘ線管に印加する管電圧および管電流をフィードバック制御する自動輝度制御手段と、
前記Ｘ線管からのＸ線の照射領域に開閉可能に配設された複数のコリメータリーフを備え、前記Ｘ線管から照射されたＸ線の被検者に対する照射領域を規制するコリメータ部と、
前記コリメータ部におけるコリメータリーフの開き量を検出する開閉度検出手段と、
前記開閉度検出手段により検出したコリメータリーフの開き量が一定以下のときには、前記自動輝度制御手段による管電流および管電圧のフィードバック制御を停止する制御部と、
を備えたことを特徴とするＸ線透視撮影装置。
【請求項２】
請求項１に記載のＸ線透視撮影装置において、
前記開閉度検出手段により検出したコリメータリーフの開き量が一定以下のときには、警告表示を行うＸ線透視撮影装置。
【発明の詳細な説明】
【技術分野】
【０００１】
この発明はＸ線透視撮影装置に関し、特に、透視または連続撮影を行うＸ線透視撮影装置に関する。
【背景技術】
【０００２】
透視を行うＸ線透視撮影装置においては、画像表示部に表示される画像の輝度を一定に保つために、ＩＢＳやＡＢＣと呼ばれる自動輝度制御方式が採用されている。また、連続撮影を行うＸ線透視撮影装置においても、入射線量に応じてＸ線を自動遮断することにより所定の画像輝度を得るＡＥＣと呼ばれる露出制御方式が採用されている。これらの制御方式は、画像表示部に表示する画像の輝度を一定とするため、Ｘ線検出器からの画像信号に基づいてＸ線管に印加する管電圧および管電流をフィードバック制御するものである（特許文献１参照）。
【０００３】
また、Ｘ線管とＸ線検出器との間には、Ｘ線管から照射されたＸ線の被検者に対する照射領域を規制するため、Ｘ線管からのＸ線の照射領域に開閉可能に配設された複数のコリメータリーフを備えたコリメータ部が設置されている。このコリメータ部におけるコリメータリーフの開き量は、観察する対象部位に応じて、Ｘ線被曝量を低減するためにオペレータにより調整される（特許文献２参照）。
【先行技術文献】
【特許文献】
【０００４】
【特許文献１】特開平９−２３４１９８号公報
【特許文献２】特開２００７−２１３９７９号公報
【発明の概要】
【発明が解決しようとする課題】
【０００５】
例えば、エージングやＸ線管のテスト出力等を行う場合には、Ｘ線が外部に漏洩することを防止するため、コリメータ部におけるコリメータリーフを閉止位置に配置する場合がある。このため、これらの作業の後に、このＸ線透視撮影装置を使用して透視や撮影を行う場合には、コリメータリーフが意図せずに閉止位置に配置されている場合がある。このような場合に、輝度を一定とするためのフィードバック制御を実行した状態で透視や連続撮影を開始したときには、Ｘ線がＸ線検出器に到達しないことから輝度が極めて低いものと判定され、Ｘ線の出力条件が最大出力に調整されてしまう。
【０００６】
オペレータがこれに気付き、コリメータ部を操作してコリメータリーフを所定位置まで開放すると、これに伴ってＸ線の出力条件が最大出力から次第に低下し、自動輝度制御機構により一定時間後に適正出力となる。しかしながら、この間に被検者が不要な被曝を受けることになるばかりではなく、診断に不要な画像が撮影される間に無駄な時間が経過するという問題がある。
【０００７】
この発明は上記課題を解決するためになされたものであり、コリメータが閉止状態にあった場合においても適正な画像を迅速に得ることができ、また、被検者へのＸ線被曝量を低減させることが可能なＸ線透視撮影装置を提供することを目的とする。
【課題を解決するための手段】
【０００８】
請求項１に記載の発明は、Ｘ線を照射するＸ線管と、被検者を通過したＸ線を検出するＸ線検出器と、前記Ｘ線検出器からの画像信号に基づいて画像を表示する画像表示部とを備えたＸ線透視撮影装置において、前記画像表示部に表示する画像の輝度を一定とするため、前記Ｘ線検出器からの画像信号に基づいて、前記Ｘ線管に印加する管電圧および管電流をフィードバック制御する自動輝度制御手段と、前記Ｘ線管からのＸ線の照射領域に開閉可能に配設された複数のコリメータリーフを備え、前記Ｘ線管から照射されたＸ線の被検者に対する照射領域を規制するコリメータ部と、前記コリメータ部におけるコリメータリーフの開き量を検出する開閉度検出手段と、前記開閉度検出手段により検出したコリメータリーフの開き量が一定以下のときには、前記自動輝度制御手段による管電流および管電圧のフィードバック制御を停止する制御部とを備えたことを特徴とする。
【０００９】
請求項２に記載の発明は、請求項１に記載の発明において、前記開閉度検出手段により検出したコリメータリーフの開き量が一定以下のときには、警告表示を行う。
【発明の効果】
【００１０】
請求項１に記載の発明によれば、コリメータリーフの開き量が一定以下のときには自動輝度制御手段による管電流および管電圧の制御を停止することから、コリメータ部のコリメータリーフが意図せずに閉止位置あるいはその付近に配置されていた場合であっても、Ｘ線管の出力を短時間で適正値にして適正な画像を迅速に得ることができ、また、被検者への無駄なＸ線被曝量を低減させることが可能となる。
【００１１】
請求項２に記載の発明によれば、コリメータリーフの開き量が一定以下のときに警告表示を行うことから、オペレータがコリメータリーフの状態を迅速に認識してその開き量を変更することができる。このため、Ｘ線管の出力をより短時間で適正値にして適正な画像を迅速に得ることができ、また、被検者への無駄なＸ線被曝量をさらに低減させることが可能となる。
【図面の簡単な説明】
【００１２】
【図１】この発明に係るＸ線透視撮影装置の概要図である。
【図２】コリメータ部２３の要部を示す斜視図である。
【図３】この発明に係るＸ線透視撮影装置の主要な電気的構成を示すブロク図である。
【図４】コリメータリーフ２４の開き量とＸ線管２１から照射されるＸ線の出力との関係を示すグラフである。
【図５】コリメータリーフ２４の開き量とＸ線管２１から照射されるＸ線の出力との関係を示すグラフである。
【発明を実施するための形態】
【００１３】
以下、この発明の実施の形態を図面に基づいて説明する。図１は、この発明に係るＸ線透視撮影装置の概要図であり、図２は、そのコリメータ部２３の要部を示す斜視図である。
【００１４】
このＸ線透視撮影装置は透視を実行するものであり、被検者２６を載置するテーブル２７と、Ｘ線管２１と、このＸ線管２１から照射され被検者２６を通過したＸ線を検出するＸ線検出器としてのフラットパネルディテクタ２２と、Ｘ線管２１から射出されたＸ線が被検者２６に照射される領域である視野のサイズを変更するためのコリメータ部２３とを備える。コリメータ部２３は、図２に示すように、各々往復移動可能な４枚のコリメータリーフ２４を備える。このコリメータ部２３の作用により、Ｘ線管２１から被検者に照射されるＸ線の領域である視野Ｅが規定される。
【００１５】
図３は、この発明に係るＸ線透視撮影装置の主要な電気的構成を示すブロク図である。
【００１６】
このＸ線透視撮影装置は、装置全体を制御する制御部１０を備える。この制御部１０は、上述したフラットパネルディテクタ２２と接続されている。また、この制御部１０は、上述したコリメータ部２３と、このコリメータ部２３におけるコリメータリーフ２４の開閉動作を制御するコリメータ制御部２５を介して接続されている。このコリメータ制御部２５は、コリメータ部２３におけるコリメータリーフ２４の開き量を検出する開閉度検出手段として機能する。
【００１７】
また、この制御部１０は、上述したＸ線管２１と、このＸ線管２１に対して管電圧および管電流を付与してＸ線出力を制御するＸ線管制御部２８を介して接続されている。このＸ線透視撮影装置においては、コリメータ部２３におけるコリメータリーフ２４の開き量と、Ｘ線管２１から照射されるＸ線の出力とは、この制御部１０により制御される。さらに、この制御部１０は、Ｘ線透視画像やその他の画像を表示するための画像表示部３１と、キーボード等の入力部３２とにも接続されている。
【００１８】
また、この制御部１０は、画像処理部１１と自動輝度制御回路１２とを備える。ここで、画像処理部１１は、フラットパネルディテクタ２２からの画像信号を画像処理して、画像表示部３１に適正な透視画像を表示するためのものである。また、自動輝度制御回路１２は、画像表示部３１に表示する画像の輝度を一定とするため、フラットパネルディテクタ２２からの画像信号に基づいて、Ｘ線管制御部２８からＸ線管２１に印加する管電圧および管電流をフィードバック制御するためのものである。この自動輝度制御回路１２としては、例えば、ＩＢＳ回路やＡＢＣ回路が使用される。
【００１９】
そして、この制御部１０は、コリメータリーフ２４の開き量が一定以下のときには、自動輝度制御回路１２によるＸ線管２１の出力のフィードバック制御を停止する構成となっている。また、この制御部１０は、透視開始後にコリメータリーフ２４の開き量が一定以下のときには、画像表示部３１に警告表示を行う構成となっている。
【００２０】
このようなＸ線透視撮影装置により被検者２６に対して透視を実行するときには、オペレータが透視開始前または透視開始後に、手動でコリメータリーフ２４の開閉ボタンを操作することなどにより、Ｘ線管２１から被検者に照射されるＸ線の領域である視野Ｅを設定する。
【００２１】
しかしながら、エージングやＸ線管のテスト出力等を行った場合など、コリメータリーフ２４を閉止状態にした場合には、オペレータが透視を実行する前にコリメータリーフ２４を開く操作を失念する場合がある。この場合には、Ｘ線管２１から照射されたＸ線がフラットパネルディテクタ２２に到達しないことになる。このため、Ｘ線の照射を開始したときに、自動輝度制御回路１２が画像表示部３１に表示する画像の輝度が低いと判断して、Ｘ線管制御部２８にＸ線管２１の出力をあげるように指令を出すことから、Ｘ線管２１から照射されるＸ線の出力が最大出力に調整されてしまう。
【００２２】
オペレータがこれに気付いてコリメータ部２３におけるコリメータリーフ２４を開放した場合には、Ｘ線管２１から照射されるＸ線の出力は徐々に小さくなるが、適正出力になるまでに長い時間を要する。このため、この発明に係るＸ線透視撮影装置においては、コリメータリーフ２４の開き量が一定以下のときには、自動輝度制御回路１２によるＸ線管２１の出力のフィードバック制御を停止している。
【００２３】
図４および図５は、コリメータリーフ２４の開き量とＸ線管２１から照射されるＸ線の出力との関係を示すグラフである。なお、このグラフは、コリメータ部２３におけるコリメータリーフ２４が閉じていた場合を示している。ここで、図４は、自動輝度制御回路１２によるＸ線管２１の出力のフィードバック制御を常に実行した状態を示し、図５は、コリメータリーフ２４の開き量が一定以下のときには自動輝度制御回路１２によるＸ線管２１の出力のフィードバック制御を停止した状態を示している。
【００２４】
図４に示す、自動輝度制御回路１２によるＸ線管２１の出力のフィードバック制御を常に実行した状態において、Ｘ線管２１から照射されるＸ線の出力は、予め設定された初期条件となっている。この初期条件は、撮影部位や撮影条件により予め設定された管電圧および管電流値による出力値である。
【００２５】
この初期条件でＸ線管２１からＸ線を照射した場合においては、コリメータ部２３におけるコリメータリーフ２４が閉じられていることから、自動輝度制御回路１２が画像表示部３１に表示する画像の輝度が低いと判断し、この自動輝度制御回路１２によるフィードバック制御の作用により、Ｘ線管２１から照射されるＸ線の出力は、初期条件から最大出力となるまで上昇する。
【００２６】
このときには、制御部１０の指令により、画像表示部３１に警告表示がなされる。このため、オペレータが、図４において符号Ｔで示す時点でコリメータリーフ２４が閉じられていることに気付き、入力部３２からコリメータ制御部２５に対してコリメータリーフ２４の開放指令を送信する。これにより、各コリメータリーフ２４が開放方向に移動した場合には、若干のタイムラグの後、Ｘ線管２１から照射されるＸ線の出力が設定値にまで低下する。
【００２７】
この場合には、コリメータ部２３におけるコリメータリーフ２４の開き量が設定開放量に対して１００％となった後も、Ｘ線管２１から照射されるＸ線の出力は設定値とはなっておらず、Ｘ線管２１から照射されるＸ線の出力は低下状態を継続している。このため、図４に符号ｔで示す時間が経過する。この時間ｔの間は、被検者２６が不要な被曝を受けることになるばかりではなく、診断に不要な画像が撮影される間に無駄な時間が経過するという問題が生ずる。
【００２８】
これに対して、図５に示す、コリメータリーフ２４の開き量が一定以下のときには自動輝度制御回路１２によるＸ線管２１の出力のフィードバック制御を停止した状態においては、Ｘ線管２１から照射されるＸ線の出力は、コリメータ部２３におけるコリメータリーフ２４の開き量が一定以下である間は、予め設定された初期条件のまま推移する。
【００２９】
このときには、制御部１０の指令により、画像表示部３１に警告表示がなされる。このため、オペレータが、図５において符号Ｔで示す時点でコリメータリーフ２４が閉じられていることに気付き、入力部３２からコリメータ制御部２５に対してコリメータリーフ２４の開放指令を送信する。これにより、各コリメータリーフ２４が開放方向に移動した場合、コリメータリーフの開き量が一定以上となった時点Ｔ２から、自動輝度制御回路１２によるＸ線管２１の出力のフィードバック制御が開始される。
【００３０】
このため、図５に示すように、コリメータ部２３におけるコリメータリーフ２４の開き量が設定開放量に対して１００％となった直後に、Ｘ線管２１から照射されるＸ線の出力が設定値となる。従って、被検者２６が不要な被曝を受けることを防止することができるばかりではなく、診断を迅速に実行することが可能となる。
【００３１】
なお、上述した実施形態においては、Ｘ線透視撮影装置として透視を実行するものについて説明したが、連続撮影を実行するＸ線透視撮影装置にこの発明を適用してもよい。この場合においては、自動輝度制御回路１２としては、例えば、ＡＥＣと呼ばれる自動露出制御回路が使用される。
【符号の説明】
【００３２】
１０      制御部
１１      画像処理部
１２      自動輝度制御回路
２１      Ｘ線管
２２      フラットパネルディテクタ
２３      コリメータ部
２４      コリメータリーフ
２５      コリメータ制御部
２６      被検者
２７      テーブル
２８      Ｘ線管制御部
３１      画像表示部
３２      入力部
【図１】
2011239803.tif 000003
【図２】
2011239803.tif 000004
【図３】
2011239803.tif 000005
【図４】
2011239803.tif 000006
【図５】
2011239803.tif 000007